(57)【特許請求の範囲】
【請求項１】
床版下面の平面部を形成する床版平面部と該床版平面部の端部から斜め下方に延びる斜面を形成するハンチ部とを有する鉄筋コンクリート床版の補強構造であって、前記床版平面部に貼付される第一のＣＦＲＰ製帯板と、前記ハンチ部に貼付され前記床版平面部と前記斜面にまたがり屈曲して延びる金属製の補強金具とを有し、対応する前記第一のＣＦＲＰ製帯板と前記補強金具が互いに連結されていることを特徴とする鉄筋コンクリート床版の補強構造。
【請求項２】
前記斜面に第二のＣＦＲＰ製帯板が貼付され、該第二のＣＦＲＰ製帯板が対応する前記補強金具に連結されている、請求項１に記載の鉄筋コンクリート床版の補強構造。
【請求項３】
前記ＣＦＲＰ製帯板と前記補強金具が接着剤を介して互いに連結されている、請求項１または２に記載の鉄筋コンクリート床版の補強構造。
【請求項４】
前記補強金具が、前記ＣＦＲＰ製帯板との連結部において平板形状に形成されている、請求項１〜３のいずれかに記載の鉄筋コンクリート床版の補強構造。
【請求項５】
前記補強金具が、前記ＣＦＲＰ製帯板との連結部においてＣＦＲＰ製帯板の幅方向両側に立片部を有する横断面コ字状またはＣ字状の形状に形成されている、請求項１〜４のいずれかに記載の鉄筋コンクリート床版の補強構造。
【請求項６】
前記補強金具が、前記ＣＦＲＰ製帯板と同等以上の剛性を有する、請求項１〜５のいずれかに記載の鉄筋コンクリート床版の補強構造。
【請求項７】
床版下面の平面部を形成する床版平面部と該床版平面部の端部から斜め下方に延びる斜面を形成するハンチ部とを有する鉄筋コンクリート床版の補強方法であって、前記ハンチ部に前記床版平面部と前記斜面にまたがり屈曲して延びる金属製の補強金具を貼付し、該補強金具に、前記床版平面部に沿って延び前記補強金具に対応する第一のＣＦＲＰ製帯板を連結するとともに、該第一のＣＦＲＰ製帯板を前記床版平面部に貼付することを特徴とする、鉄筋コンクリート床版の補強方法。
【請求項８】
前記斜面に第二のＣＦＲＰ製帯板を貼付するとともに、前記第二のＣＦＲＰ製帯板を対応する前記補強金具に連結する、請求項７に記載の鉄筋コンクリート床版の補強方法。
【請求項９】
前記補強金具として、前記ＣＦＲＰ製帯板との連結部が平板形状に形成されている補強金具を用いる、請求項７または８に記載の鉄筋コンクリート床版の補強方法。
【請求項１０】
前記補強金具として、前記ＣＦＲＰ製帯板との連結部がＣＦＲＰ製帯板の幅方向両側に立片部を有する横断面コ字状またはＣ字状の形状に形成されている補強金具を用いる、請求項７〜９のいずれかに記載の鉄筋コンクリート床版の補強方法。
【請求項１１】
前記補強金具の立片部の一部を、該補強金具に連結されたＣＦＲＰ製帯板に向けてかしめる、請求項１０に記載の鉄筋コンクリート床版の補強方法。
【請求項１２】
前記補強金具として、前記ＣＦＲＰ製帯板と同等以上の剛性を有する補強金具を用いる、請求項７〜１１のいずれかに記載の鉄筋コンクリート床版の補強方法。
【発明の詳細な説明】
【技術分野】
【０００１】
本発明は、橋梁、水路、ボックスカルバート等の構造物を形成する鉄筋コンクリート床版を補強する補強構造およびその補強方法に関する。
【背景技術】
【０００２】
標準的な鉄筋コンクリート（ＲＣ）床版の補強方法としては、従来、ＲＣ増厚工法や、鋼板接着工法、炭素繊維シート接着工法などが知られている。これらのうちＲＣ増厚工法とは、既存のＲＣ床版上面のアスファルトを剥ぎ取ってから、格子状鉄筋を敷いて、その上からコンクリートを打込んで断面積を増加させ、ＲＣ床版の断面２次モーメントを大きくして、ＲＣ床版の補強を図る工法である。
【０００３】
鋼板接着工法とは、既存のＲＣ床版下面に、厚み４．５ｍｍの鋼板をアンカーボルトで定着させ、ＲＣ床版と鋼板の隙間にはエポキシ樹脂を流し込んで、ＲＣ床版と一体化を図って補強する工法である（非特許文献１）。
【０００４】
また、炭素繊維シート接着工法とは、既存のＲＣ床版下面に、一方向炭素繊維シートを橋軸および橋軸直角方向にエポキシ樹脂で硬化・接着させてＲＣ床版の補強を図る工法であり、炭素繊維シートを全面に接着する方法と格子状に接着する方法とがある（非特許文献２）。
【０００５】
上記ＲＣ増厚工法においては、床版上面を増厚するためハンチ部の補強は不要である。これに対し、鋼板接着工法および炭素繊維シート接着工法においては、床版隅角部に形成されるハンチ部までを含めたＲＣ床版を補強する必要がある。
【０００６】
上記のような標準的なＲＣ床版の補強方法のほかに、工場で炭素繊維を含浸・硬化させたＣＦＲＰ（炭素繊維強化プラスチック：Carbon Fiber Reinforced Plastic）からなる帯板をエポキシ接着剤で接着補強させる特殊な工法として、ＣＦＲＰ帯板接着工法が知られている。この工法は主に、床版等に急な起伏のない平面状のＲＣ床版の補強のために用いられ、ＣＦＲＰ帯板を格子状に貼り付ける補強構造も知られている。
【０００７】
このようなＣＦＲＰ帯板接着工法の具体例としては、ＣＦＲＰ帯板とレジンコンクリート補強材を使ったボックスカルバートの補強工法が知られている（特許文献１）。これは、平板部をＣＦＲＰで補強しつつ、ハンチ部については、レジンコンクリートからなるブロックをアンカーボルトと接着剤によって補強する工法である。
【先行技術文献】
【特許文献】
【０００８】
【特許文献１】特開２００６−０２８８８９号公報
【非特許文献】
【０００９】
【非特許文献１】コンクリート構造物補修・補強施工マニュアル  平成１５年３月  道路保全技術センター
【非特許文献２】コンクリート部材の補修・補強に関する共同研究報告書（III）−炭素繊維シート接着工法による道路橋コンクリート部材の補修・補強に関する設計・施工指針（案）  平成１１年１２月  建設省土木研究所
【発明の概要】
【発明が解決しようとする課題】
【００１０】
ＲＣ増厚工法は、死荷重が増加するだけでなく、施工中は交通規制が伴い、施工が大変である。鋼板接着工法は、アンカーボルトを施工するため、床版に損傷を与えることになり、クラックの起点になるなど劣化を促進する危険もある。
【００１１】
また、上記の標準的な補強方法を用いる場合には、ＣＦＲＰ帯板をハンチ部の角度に沿わせて現場で精度良く曲げる加工が困難であるため、各ハンチ部の角度のばらつきが接着性を低下させる恐れがある。これを回避しようとしてＣＦＲＰ帯板に曲率をつけて貼り付けた場合には、ＣＦＲＰ帯板がまっすぐに伸びようとする復元力が働き、接着剥離を起こす恐れがある。復元力を小さくする為に、なるべく大きな曲率をつけることによって対応できるが、曲率線とコンクリート床版およびハンチ部との隙間をパテ材等で埋める為、パテの消費量が大きくなり、不経済である。しかも曲率で面取りを行うので施工性が悪くなる。
【００１２】
さらに、ハンチ部を炭素繊維シートのような材料によって形成することも考えられるが、シートを積層する手間や時間が工期の長期化やコストアップにつながる恐れがある。
【００１３】
本発明は、このような従来技術の背景に鑑み、低コストかつ短工期にて現場の施工状況に柔軟に対応可能な、鉄筋コンクリート床版の補強構造およびその補強方法を提供しようとするものである。
【課題を解決するための手段】
【００１４】
上記課題を解決するために、本発明に係る鉄筋コンクリート床版の補強構造は、床版下面の平面部を形成する床版平面部と該床版平面部の端部から斜め下方に延びる斜面を形成するハンチ部とを有する鉄筋コンクリート床版の補強構造であって、前記床版平面部に貼付される第一のＣＦＲＰ製帯板と、前記ハンチ部に貼付され前記床版平面部と前記斜面にまたがり屈曲して延びる金属製の補強金具とを有し、対応する前記第一のＣＦＲＰ製帯板と前記補強金具が互いに連結されていることを特徴とするものからなる。
【００１５】
このような本発明の鉄筋コンクリート床版の補強構造によれば、床版平面部に貼付される第一のＣＦＲＰ製帯板と、ハンチ部に貼付され床版平面部と上記斜面にまたがり屈曲して延びる金属製の補強金具とを有し、対応する第一のＣＦＲＰ製帯板と補強金具が互いに連結されているので、ＣＦＲＰ製帯板によって十分な補強強度を確保すると同時に、金属製の補強金具によって加工の容易性をも十分に確保することが可能となる。
【００１６】
本発明の鉄筋コンクリート床版の補強構造においては、前記斜面に第二のＣＦＲＰ製帯板が貼付され、該第二のＣＦＲＰ製帯板が対応する前記補強金具に連結されていることが好ましい。ハンチ部が形成する上記斜面には、床版平面部とは異なり、必ずしもＣＦＲＰ製帯板が貼付されている必要はないが、第二のＣＦＲＰ製帯板を貼付すれば、ハンチ部をより強固に補強することが可能となる。
【００１７】
また、前記ＣＦＲＰ製帯板や前記補強金具が、接着剤により貼付されていることが好ましい。接着剤を用いた貼付方法を採用することにより、予め接着面に接着剤を塗布し、接着剤が硬化する前にＣＦＲＰ製帯板や補強金具を圧着させることで、貼付工程の容易化、高速化が図られる。しかも、接着なので、アンカーボルトのように躯体を痛めることも無い。
【００１８】
さらに、前記ＣＦＲＰ製帯板と前記補強金具が接着剤を介して互いに連結されていることが好ましい。このようにしてＣＦＲＰ製帯板と補強金具が連結されることにより、予めハンチ部に貼付した補強金具を、ＣＦＲＰ製帯板の設置位置を案内するガイドとしても利用する場合に、ＣＦＲＰ製帯板の固定作業が容易化される。
【００１９】
本発明の鉄筋コンクリート床版の補強構造においては、前記補強金具が、前記ＣＦＲＰ製帯板との連結部において平板形状に形成されていてもよい。補強金具がこのような平板形状であることにより、ＣＦＲＰ製帯板と補強金具の連結作業を容易に実施することができる。また、前記補強金具が、前記ＣＦＲＰ製帯板との連結部においてＣＦＲＰ製帯板の幅方向両側に立片部を有する横断面コ字状またはＣ字状の形状に形成されていてもよい。補強金具がこのようなコ字状に形成されることにより、ＣＦＲＰ製帯板と補強金具の間の幅方向における位置ずれが防止可能となる。さらに、補強金具が上記のようなＣ字状に形成されることにより、補強金具の下方からＣＦＲＰ製帯板を連結させる作業等において、上記立片部によってＣＦＲＰ製帯板の幅方向端部が保持され落下が防止されるので、ＣＦＲＰ製帯板と補強金具の連結状態を確保することが容易となる。
【００２０】
また、前記補強金具が、前記ＣＦＲＰ製帯板と同等以上の剛性を有することが好ましい。具体的には、補強金具の断面がＣＦＲＰ製帯板と同等の引張り剛性を有することにより、補強金具に応力が集中して破断すること等を効果的に防止することが可能となる。
【００２１】
さらに、上記課題を解決するために、本発明に係る鉄筋コンクリート床版の補強方法は、床版下面の平面部を形成する床版平面部と該床版平面部の端部から斜め下方に延びる斜面を形成するハンチ部とを有する鉄筋コンクリート床版の補強方法であって、前記ハンチ部に前記床版平面部と前記斜面にまたがり屈曲して延びる金属製の補強金具を貼付し、該補強金具に、前記床版平面部に沿って延び前記補強金具に対応する第一のＣＦＲＰ製帯板を連結するとともに、該第一のＣＦＲＰ製帯板を前記床版平面部に貼付することを特徴とする方法からなる。
【００２２】
このような本発明の鉄筋コンクリート床版の補強方法によれば、ハンチ部に金属製の補強金具を貼付し、該補強金具に、床版平面部に沿って延び補強金具に対応する第一のＣＦＲＰ製帯板を連結するとともに、該第一のＣＦＲＰ製帯板を床版平面部に貼付するので、ＣＦＲＰ帯板によって十分な補強強度を確保しつつ、金属製の補強金具を加工して鉄筋コンクリート床版を比較的容易に補強することが可能となる。
【００２３】
本発明の鉄筋コンクリート床版の補強方法においては、前記斜面に第二のＣＦＲＰ製帯板を貼付するとともに、前記第二のＣＦＲＰ製帯板を対応する前記補強金具に連結することが好ましい。ハンチ部が形成する上記斜面には、床版平面部とは異なり、必ずしもＣＦＲＰ製帯板が貼付されている必要はないが、第二のＣＦＲＰ製帯板を上記斜面に貼付することにより、ハンチ部をより強固に補強することが可能となる。
【００２４】
本発明の鉄筋コンクリート床版の補強方法においては、前記ＣＦＲＰ製帯板と前記補強金具とを接着剤を介して互いに連結することが好ましい。このようにしてＣＦＲＰ製帯板と補強金具を連結することにより、予めハンチ部に補強金具を貼付しておき、ＣＦＲＰ製帯板の設置位置を案内するガイドとしても利用しながらＣＦＲＰ製帯板の固定作業を容易に行うことが可能となる。
【００２５】
また、前記補強金具として、前記ＣＦＲＰ製帯板との連結部が平板形状に形成されている補強金具を用いてもよい。ＣＦＲＰ製帯板との連結部が平板形状に形成された補強金具を用いることにより、ＣＦＲＰ製帯板と補強金具の連結作業を容易に実施することができる。また、前記補強金具として、前記ＣＦＲＰ製帯板との連結部がＣＦＲＰ製帯板の幅方向両側に立片部を有する横断面コ字状またはＣ字状の形状に形成されている補強金具を用いてもよい。補強金具がこのようなコ字状に形成されることにより、ＣＦＲＰ製帯板と補強金具の間の幅方向における位置ずれが防止可能となる。さらに、補強金具が上記のようなＣ字状に形成されることにより、補強金具の下方からＣＦＲＰ製帯板を連結させる作業等において、上記立片部によってＣＦＲＰ製帯板の幅方向端部が保持され落下が防止されるので、ＣＦＲＰ製帯板と補強金具の連結状態を確保することが容易となる。とくに、前記補強金具の立片部の一部を、該補強金具に連結されたＣＦＲＰ製帯板に向けてかしめることによって、ＣＦＲＰ製帯板と補強金具との間の位置ずれを防止することが可能である。
【００２６】
また、本発明の鉄筋コンクリート床版の補強方法においては、前記補強金具として、前記ＣＦＲＰ製帯板と同等以上の剛性を有する補強金具を用いることが好ましい。具体的には、補強金具の断面がＣＦＲＰ製帯板と同等の引張り剛性を有することにより、補強金具に応力が集中して破断すること等を効果的に防止することが可能となる。
【発明の効果】
【００２７】
本発明に係る鉄筋コンクリート床版の補強構造およびその補強方法によれば、ハンチ部を有する鉄筋コンクリート床版に対して、現場ごと、あるいは施工箇所ごとに異なるハンチ部の角度に柔軟に対応しつつ、ＣＦＲＰ製帯板を使った補強構造を低コストかつ短工期にて実現することができる。
【図面の簡単な説明】
【００２８】
【図１】本発明の一実施態様に係る鉄筋コンクリート床版を示す斜視図である。
【図２】図１の床版補強構造の一例を示しており、（Ａ）は最終形態、（Ｂ）は加工途中の形態を示す斜視図である。
【図３】図１の床版補強構造の他の例を示しており、それぞれ、（Ａ）はハンチ部が短めの場合に適した補強金具、（Ｂ）は平板形状の補強金具を示す斜視図である。
【図４】図１の補強金具の例を示しており、（Ａ）および（Ｂ）は図２の補強構造に用いられる補強金具、（Ｃ）は図３（Ｂ）の補強構造に用いられる補強金具、（Ｄ）は他の補強金具の例をそれぞれ示す斜視図である。
【発明を実施するための形態】
【００２９】
以下に、本発明の望ましい実施の形態を、図面を参照して説明する。
図１は、本発明の一実施態様に係る鉄筋コンクリート床版の補強構造を備える鉄筋コンクリート床版を斜め下方から見た斜視図である。鉄筋コンクリート製の床版１は、橋等の構造物において、自動車等の荷重を直接受ける部材であり、安全性の観点から非常に高い強度が必要とされるものである。床版１の左右両端の隅角部には、平面部２の端部から斜めに延びる斜面を形成するようにハンチ部３が設けられている。
【００３０】
平面部２の下表面には床版の補強のために、複数のＣＦＲＰ製の帯板４が平面部２の下表面全体にわたって格子状をなすように、エポキシ系接着剤を用いて貼付されている。また、ハンチ部３の表面には、別のＣＦＲＰ製の帯板５がエポキシ系接着剤を用いて貼付されている。帯板４と帯板５とは、鋼材、ステンレス鋼、アルミ合金、チタン合金等の金属からなり長手方向中央部に屈曲部位を有する補強金具６を介して互いに連結されている。補強金具６が鋼材からなる場合には、必要に応じメッキなどの防錆処置を行う。
【００３１】
補強金具６の長手方向長さは、屈曲部を境に左右に分かれた片側あたり１００〜２００ｍｍ程度である。補強金具６の幅（短幅方向長さ）は、帯板４、５の幅とほぼ同じ長さであるが、片側あたり１〜５ｍｍ程度大きめの幅に形成されていてもよい。また、補強金具６の厚みは、帯板４、５とほぼ同じ補強剛性が備わるように設定することが好ましい。具体的には、帯板４、５と補強金具６の間に下記関係式が成立するように、補強金具６の厚みを設定することが好ましい。
【００３２】
〔式１〕
ｔＳ＝（Ｅｃ×Ａｃ）／（ＥＳ×ｗＳ）
ｔＳ：補強金具の厚み［ｍｍ］
ＥＳ：補強金具の弾性率［Ｎ／ｍ２］
ｗＳ：補強金具の幅［ｍｍ］
Ｅｃ：帯板の弾性率［Ｎ／ｍ２］
Ａｃ：帯板の断面積［ｍｍ２］
【００３３】
図２は、図１の床版１の補強構造の一例を示しており、（Ａ）は最終形態、（Ｂ）は加工途中の形態を、それぞれ示す斜視図である。
【００３４】
図２（Ａ）の補強金具１６は、横断面がＣ字状の形状に形成され、帯板４、５を把持、固定するための立片部としての爪１６ａ、１６ｂが短幅方向両端辺に沿って形成された補強金具の例である。床版１の平面部２に貼付された帯板４は、補強金具１６のＣ字状横断面内部に向けて挿入されている。
【００３５】
帯板４は、最終的には補強金具１６と接着されることで完全な連結状態を作出するが、帯板４と補強金具１６との間の接着面に接着剤を塗布する前、または当該接着面に塗布した接着剤が硬化する前の状態においては、爪１６ａを利用して補強金具１６と仮に連結することができる。床版１のハンチ部３の斜面に貼付された帯板５についても、上述の帯板４と同様に、補強金具１６のＣ字状横断面内部に挿入されており、補強金具１６と接着される前には爪１６ｂを利用して補強金具との仮連結状態を作出することができる。
【００３６】
補強金具１６と帯板４、５との接着面には、高圧で砂を吹き付けるサンドブラストの方法等で目粗し加工がされていることが好ましい。このような目粗し加工を施すことにより接着面において摩擦力が得られるので、補強金具１６と帯板４、５の間にずれが生じにくくなり、補強金具１６と帯板４、５を連結する作業の容易化が図られる。
【００３７】
補強金具１６は、平板形状の金属材料に折り曲げ加工が施されることにより、図２（Ａ）に示されるような形状に形成することが可能である。この補強金具１６の加工手順の例について以下に説明する。
【００３８】
まず、補強金具１６のもとになる平板形状の金属材料の短幅方向両端を立ち上げて、金属材料の横断面がＣ字状の形状となるように曲げ加工することにより、爪１６ａ、１６ｂを形成させる。このように加工した補強金具１６に、長手方向に約４０度の開き角度が生じるように予め工場等で曲げ加工を施し、施工現場に運搬する。補強金具１６の開き角度は、施工現場にて床版１のハンチ部３の角度に合わせ調整し、補強金具１６を床版１の平面部２とハンチ部３にまたがって密着するように接着する。その後、帯板４、５の長手方向端部のうち補強金具１６と反対側を、それぞれ床版１の平面部２とハンチ部３の斜面に接着する。
【００３９】
上記接着作業の際には、床版１に接着固定された補強金具１６を、帯板４、５の接着位置を案内するガイドとして利用することが可能である。すなわち、帯板４、５を、補強金具１６のＣ字状横断面内に挿入することによって適切な位置に配置しつつ、接着作業を行うことができる。以上のような手順で補強金具１６を加工することによって、帯板４、５を床版１に容易に固定することができる。
【００４０】
また、図２（Ａ）に示すような補強金具１６のＣ字状横断面を形成した後に帯板４、５を補強金具１６に挿入するのではなく、一旦、図２（Ｂ）に示すようなコ字状横断面を補強金具５６に形成し帯板４、５を挿入した後に、最後の折り曲げ工程にて補強金具５６の横断面をＣ字状に形成してもよい。すなわち、図２（Ｂ）に示すような加工途中の形態から、爪部５６ａ、５６ｂをそれぞれ帯板４、５に向けてかしめることにより、図２（Ａ）に示す補強構造と同様の最終形態へと移行させ、補強構造の施工作業を効率的に行うことが可能となる。
【００４１】
図３は、図１の床版１の補強構造の他の例を示しており、それぞれ、（Ａ）はハンチ部が短めの場合に適した補強金具２６、（Ｂ）は平板形状の補強金具３６を示す斜視図である。図３（Ａ）の補強金具２６は、帯板４側の端部横断面がＣ字状の形状に形成され、帯板４を把持、固定するための立片部としての爪１６ａが短幅方向両端辺に沿って形成された補強金具の例である。図２の例とは異なり、爪１６ｂが省略されているが、これはハンチ部３の斜面の長さが比較的短いために、補強金具２６自体が図２における帯板５の役割を兼ねることができることを示している。その他の点については、図２の例と同様であるので説明を省略する。
【００４２】
図３（Ｂ）の補強金具３６は、図３（Ａ）の例とは異なり、帯板４との連結部において平板形状に形成されており、図３（Ａ）の爪２６ａに相当する立片部を備えていない。このような補強金具３６が用いられる場合には、補強金具３６と帯板４との連結には接着剤やボルト等の連結手段が必要となるが、連結作業の容易性の観点から、好ましくは接着剤が用いられる。その他の点については図３（Ａ）の例と同様であるので、説明を省略する。
【００４３】
図４は、図１の補強金具のバリエーション例を示す斜視図である。図４（Ａ）、（Ｂ）は、図２に示した床版１の補強構造において使用される補強金具１６、５６をそれぞれ示している。図４（Ａ）の補強金具１６には、帯板４、５の幅方向両側に立片部としての爪１６ａ、１６ｂがそれぞれ設けられている。補強金具１６の横断面はＣ字状に形成されているので、補強金具１６の内部に帯板４、５を挿入することができる。
【００４４】
一方、図４（Ｂ）の補強金具５６には、帯板４、５の幅方向両側に立片部としての爪５６ａ、５６ｂが形成されている。前述したように、爪５６ａ、５６ｂを破線で示した折り曲げ位置１７で折り曲げ、帯板４、５に向けてかしめることにより、図２（Ａ）のかしめ加工後と同様の最終形態が作出され、補強金具５６が横断面Ｃ字状に形成される。この状態にて補強金具５６と帯板４、５を接着することにより、床版１の補強構造が実現される。なお、折り曲げ位置１７にわずかな角度をつけて曲げ加工をあらかじめ施しておくことにより、爪５６ａ、５６ｂのかしめ加工をより簡便に実施することができる。
【００４５】
図４（Ｃ）は、図３（Ｂ）に示した床版１の補強構造において使用される平板形状の補強金具３６を示している。補強金具３６には、図４（Ａ）の爪１６ａ、１６ｂに相当する立片部が設けられておらず、単に平板が長手方向中央付近の１箇所で屈曲した形状に形成されているため、容易な加工のみで補強金具３６を形成できる。
【００４６】
図４（Ｄ）は、横断面コ字状に形成された補強金具４６の例である。補強金具４６は、帯板と連結された際に帯板の幅方向両側に配置される立片部４６ａ、４６ｂを備えている。このような立片部４６ａ、４６ｂによって、帯板の幅方向における位置ずれを防止することができる。
【産業上の利用可能性】
【００４７】
本発明に係る鉄筋コンクリート床版の補強構造およびその補強方法は、橋梁、水路、ボックスカルバート等の構造物において、ハンチ部を有する鉄筋コンクリート床版を補強するために広く使用される。
【符号の説明】
【００４８】
１  床版
２  平面部
３  ハンチ部
４、５  帯板
６、１６、２６、３６、４６、５６  補強金具
１６ａ、１６ｂ、２６ａ、５６ａ、５６ｂ  爪
１７  折り曲げ位置
４６ａ、４６ｂ  立片部
【図１】
0005479168.tif 000002
【図２】
0005479168.tif 000003
【図３】
0005479168.tif 000004
【図４】
0005479168.tif 000005